(57)【要約】      （修正有）【課題】一つか一つ以上の、必要とする電子設備を設置でき、多様化や便利性の効果が得られる電子装置付き開閉器を提供する。【解決手段】壁の適当な位置に設置され、少なくとも一つ以上の貫通穴１１を有するパネル１と、パネルと壁との間に設置される電源部２と、電源部に接続される変圧器３と、貫通穴に設置され、変圧器と接続するための接続穴４０を有する電子設備４とが含有される。電子設備が、記憶装置と制御ユニット等を有するＭＰ３モジュールや音声捕獲ユニットを有する録音機構であることを特徴とする。【選択図】図２
0003132335.tif 000002
【実用新案登録請求の範囲】
【請求項１】
壁の適当な位置に設置され、少なくとも一つ以上の貫通穴を有するパネルと、
上記のパネルと壁との間に設置される電源部と、
上記の電源部に接続される変圧器と、
上記パネルの貫通穴に設置され、上記の変圧器と接続するための接続穴を有する電子設備と、が含有されることを特徴とする電子装置付き開閉器。
【請求項２】
当該電子設備が、記憶装置と制御ユニット、ディスプレイユニット、出力装置及び接続ユニットを有するＭＰ３モジュールであることを特徴とする請求項１に記載の電子装置付き開閉器。
【請求項３】
当該電子設備が、音声捕獲ユニットを有する録音機構であることを特徴とする請求項１に記載の電子装置付き開閉器。
【考案の詳細な説明】
【技術分野】
【０００１】
本考案は、電子装置付き開閉器に関し、特に、開閉器のパネル上に一つか一つ以上の電子設備を設置することにより、多様化や便利性の効果が得られるものに関する。
【背景技術】
【０００２】
一般の、従来の開閉器は、当該開閉器の外部にパネルを覆うことにより、開閉器の支持板が露出しないように開閉器の美観を求め、外部の電子製品が、当該開閉器に接続されることにより、電子製品に必要とする電源が供給される。
【０００３】
従来の開閉器は、電子製品に必要な電源を供給できるが、壁に固定される電子製品と接続することしかできず、また、電子製品に必要とする電源を提供するだけで、電子製品のスイッチの機能しか作用できなく、ユーザーが、自由自在に必要とする電子設備を選択して、当該開閉器を幅広く利用することは、できない。そのため、従来のものは、実用的なものではない。
【考案の開示】
【考案が解決しようとする課題】
【０００４】
本考案の主な目的は、より実用的な、他の機能を持つ開閉器で、開閉器のパネル上にある貫通穴により、一つか一つ以上の、必要とする電子設備を設置でき、多様化や便利性の効果が実現される電子装置付き開閉器を提供する。
【課題を解決するための手段】
【０００５】
請求項１の考案は、壁の適当な位置に設置され、少なくとも一つ以上の貫通穴を有するパネルと、上記のパネルと壁との間に設置される電源部と、上記の電源部に接続される変圧器と、上記パネルの貫通穴に設置され、上記の変圧器と接続するための接続穴を有する電子設備と、が含有される、ことを特徴とする電子装置付き開閉器である。
【０００６】
請求項２の考案は、当該電子設備が、記憶装置と制御ユニット、ディスプレイユニット、出力装置及び接続ユニットを有するＭＰ３モジュールであることを特徴とする請求項１に記載の電子装置付き開閉器である。
【０００７】
請求項３の考案は、当該電子設備が、音声捕獲ユニットを有する録音機構であることを特徴とする請求項１に記載の電子装置付き開閉器である。
【考案を実施するための最良の形態】
【０００８】
図１、２、３は、それぞれ、本考案の立体外観の概念図、本考案の立体分解の概念図、本考案の基本構造のブロック概念図である。図のように、本考案は、電子装置付き開閉器であり、少なくとも、パネル１と電源部２、変圧器３及び電子設備４から構成され、開閉器のパネル１において、一つか一つ以上の電子設備４を設置することにより、多様化や便利性の効果が得られる。
【０００９】
上記のパネル１は、壁５の適当な位置に設置され、少なくとも一つ以上の貫通穴１１が設けられる。
【００１０】
当該電源部２は、１１０Ｖ〜２２０Ｖの交流電流で、上記のパネル１と壁５の間に設置される。
【００１１】
当該変圧器３は、上記の電源部２に接続され、交流電流を直流電流に変換する。
【００１２】
当該電子設備４は、上記のパネル１の貫通穴１１の中に設置され、上記の変圧器３に接続されるための接続穴４０があり、電源は、当該電源部２から当該変圧器３を介して当該電子設備４へ伝送される。上記の構造により、新規の電子装置付き開閉器が構成される。
【００１３】
図４〜図８は、本考案に係わる電子設備の立体外観の概念図である。図のように、本考案に係わる電子設備４は、記憶装置４１１と制御ユニット４１２、ディスプレイユニット４１３、出力装置４１４及び接続ユニット４１５を有するＭＰ３モジュール４１や音声捕獲ユニット４２０を有する録音機構４２、画像捕獲ユニット４３０を有する録画機構４３、メモリカード４４１がアドインできる蓄蔵機構４４、無線伝送ユニット４５１を有するアンテナ機構４５或いは以上の機構の任意の組合わせである。
【００１４】
図９、１０は、それぞれ、本考案に係わる第１の使用状態の概念図と本考案に係わる第１の使用状態のブロック概念図である。図のように、本考案は、ＭＰ３モジュール４１の電子設備４を適用することができ、当該ＭＰ３モジュール４１を、変圧器３に接続することにより、電源部２から必要とする電力が供給され、そして、当該ＭＰ３モジュール４１を、壁５の適当な位置に設置されるパネル１の貫通穴１１の中に実装することにより、当該ＭＰ３モジュール４１が実装される。
【００１５】
使用する時、ユーザーがイヤホン６やスピーカ７の継手６１、７１をＭＰ３モジュール４１の出力装置４１４にアドインして、制御ユニット４１２記憶装置４１１のオディオファイルを駆動すると、当該オディオファイルが出力装置４１４によりイヤホン６やスピーカ７へ伝送されて出力され、また、ディスプレイユニット４１３により放送しているファイル名を表示することにより、ユーザーがＭＰ３モジュール４１の中のオディオファイルを聴取でき、また、ユーザーが、当該ＭＰ３モジュール４１の接続ユニット４１５により伝送ケーブル８１を介してコンピュータ８（或いは、他の携帯式や固定式の電子処理装置）と連結することにより、コンピュータ８により、必要とするオディオファイルのアップロードやダウンロードを実現し、また、無線伝送ユニット４５１を有するアンテナ機構４５により、無線式で、必要とするオディオファイルのアップロードやダウンロードを実現する。
【００１６】
図１１、１２は、それぞれ、本考案に係わる第２の使用状態の概念図と本考案に係わる第２の使用状態のブロック概念図である。図のように、本考案は、録音機構４２と録画機構４３を、同時に壁５の適当な位置にあるパネル１の貫通穴１１の中に設置することができ、また、少なくとも一つの蓄蔵機構４４を設置して、そして、当該録音機構４２と当該録画機構４３及び当該蓄蔵機構４４をシリアルに接続し、また、その何れかの一つの機構により変圧器３に接続することにより、電源部２から必要とする電力が供給される。
【００１７】
使用する時、当該蓄蔵機構４４に、必要とするメモリカード４４１をアドインし、また、当該録音機構４２と録画機構４３が、同時に音声捕獲ユニット４２１と画像捕獲ユニット４３１で音声データ４２０と画像データ４３０を捕獲し、そして、適当なフォーマットで圧縮した後、蓄蔵機構４４のメモリカード４４１に蓄蔵することにより、必要とする音声や画像を捕獲でき、ユーザーが音声や画像データを読取る時、メモリカード４４１を取り出して、カード読取装置（図に表示せず）に実装すると、音声や画像データを読取ることができる。
【００１８】
以上の説明から、本考案に係わる電子装置付き開閉器によれば、有効的に従来の様々の欠点を改善でき、開閉器パネル上の貫通穴に、一つか一つ以上の電子設備を設置することにより、多様化や便利性の効果が得られるため、本考案は、より実用的なものと認められ、そのため、法に従って実用新案登録を出願する。
【００１９】
以上は、ただ、本考案のよりよい実施例であり、本考案は、それによって制限されず、本考案に係わる実用新案登録請求の範囲や明細書の内容に従って行う等価の変更や修正は、全てが、本考案の実用新案登録請求の範囲内に含まれる。
【図面の簡単な説明】
【００２０】
【図１】本考案の立体外観の概念図
【図２】本考案の立体分解の概念図
【図３】本考案の基本構造のブロック概念図
【図４】本考案に係わる電子設備の立体外観の概念図
【図５】本考案に係わる電子設備の立体外観の概念図
【図６】本考案に係わる電子設備の立体外観の概念図
【図７】本考案に係わる電子設備の立体外観の概念図
【図８】本考案に係わる電子設備の立体外観の概念図
【図９】本考案に係わる第１の使用状態の概念図
【図１０】本考案に係わる第１の使用状態のブロック概念図
【図１１】本考案に係わる第２の使用状態の概念図
【図１２】本考案に係わる第２の使用状態のブロック概念図
【符号の説明】
【００２１】
１            パネル
１１          貫通穴
２            電源部
３            変圧器
４            電子設備
４０          接続穴
４１          ＭＰ３モジュール
４１１        記憶装置
４１２        制御ユニット
４１３        ディスプレイユニット
４１４        出力装置
４１５        接続ユニット
４２          録音機構
４２０        音声データ
４２１        音声捕獲ユニット
４３          録画機構
４３０        画像データ
４３１        画像捕獲ユニット
４４          蓄蔵機構
４４１        メモリカード
４５          アンテナ機構
４５１        無線伝送ユニット
５            壁
６            イヤホン
６１、７１    継手
７            スピーカ
８            コンピュータ
８１          伝送ケーブル
【図１】
0003132335.tif 000003
【図２】
0003132335.tif 000004
【図３】
0003132335.tif 000005
【図４】
0003132335.tif 000006
【図５】
0003132335.tif 000007
【図６】
0003132335.tif 000008
【図７】
0003132335.tif 000009
【図８】
0003132335.tif 000010
【図９】
0003132335.tif 000011
【図１０】
0003132335.tif 000012
【図１１】
0003132335.tif 000013
【図１２】
0003132335.tif 000014